(57)【特許請求の範囲】
【請求項１】
長方形状の底板と、この底板の左右の長辺に、それぞれ、折線ｌ，ｍを介して連接された左蓋片及び右蓋辺と、底板の短辺に折線ｎを介して連接されたつなぎ片と、このつなぎ片と折線ｏを介して連接された横長の中底片と、この中底片の左右に、それぞれ、折線ｑ、ｒを介して連接された前蓋片及び後蓋片とからなり、
中底片の幅ｈが底板の短辺の長さａと同一、長さｃが底板の長辺の長さｆと同一であり、
前記つなぎ片が、底板の短辺に連接された長方形の部位と、この長方形の部位に連接された三角形状の部位とから構成されており、かつ、長方形部位の頂点Ａを始点として前記底板の短辺と４５度をなす方向に伸びる折線ｏのみを介して、前記中底片とつなぎ片とが連接されており、
頂点Ａから底板までの長さｇ及び頂点Ａから中底板の側端部までの長さｅ１が、いずれも、底板の長辺の長さｆと短辺の長さａの差の１／２であることを特徴とする包装用ブランクシート。
【請求項２】
長方形状の底板と、この底板の左右の長辺に、それぞれ、折線ｌ，ｍを介して連接された左蓋片及び右蓋辺と、底板の短辺に折線ｎを介して連接されたつなぎ片と、このつなぎ片と折線ｏを介して連接された横長の中底片と、この中底片の左右に、それぞれ、折線ｑ、ｒを介して連接された前蓋片及び後蓋片とからなり、
中底片の幅ｈが底板の短辺の長さａと同一、長さｃが底板の長辺の長さｆと同一であり、
前記つなぎ片が、底板の短辺に連接された長方形の部位と、この長方形の部位に連接された三角形状の部位とから構成されており、かつ、長方形部位の頂点Ａを始点として前記底板の短辺と４５度をなす方向に伸びる折線ｏのみを介して、前記中底片とつなぎ片とが連接されており、
頂点Ａから底板までの長さｇ及び頂点Ａから中底板の側端部までの長さｅ１が、いずれも、底板の長辺の長さｆの１／６であることを特徴とする包装用ブランクシート。
【発明の詳細な説明】
【技術分野】
【０００１】
本発明は、板状の食品、平袋状の食品あるいは書籍等の内容物を包装する包装用ブランクシートに関する。特に、１枚のブランクシートであって、これを折り畳むことにより、内容物を前後左右から覆って包装することのできる包装用ブランクシートに関するものである。
【背景技術】
【０００２】
このようなブランクシートとしては、例えば、底板の左右に蓋片を連接し、この底板の前方向に折線を介して中底片を連接し、この中底辺の左右に蓋片を連接したものが知られている。底板と中底片とは、その境界線の一部を折線として、この折線を介して連接されており、この折線に対して４５度の角度で折り曲げ線が設けられている。そして、この折り曲げ線から折り曲げることにより、前記中底片を９０度回転させることができ、このため、中底片の左右に連接された蓋片は底板の前後に位置することになる。そして、このため、中底片の左右に連接された蓋片によって前後から内容物を覆い、また、底板の左右に連接された蓋板によって左右から覆うことが可能になる（特許文献１及び２参照）。このブランクシートは、その展開形状をほぼ長方形状とすることができ、このため、材料のシートに無駄が生じることがない。
【特許文献１】実開平５−１３９１６号公報
【特許文献２】実開平９−４８４２３号公報
【発明の開示】
【発明が解決しようとする課題】
【０００３】
しかしながら、前記先行技術によれば、中底片の左右に連接した蓋片を、その左右で同一の大きさとすることができず、仮に中底片の左右に同じ大きさの蓋片を設けるとすると、そのブランクシートの形状を長方形とすることができず、このため、無駄が生じるという問題があった。
【０００４】
そこで、本発明は、一枚のブランクシートから成り、内容物を左右前後から覆うことのできるブランクシートであって、その前後の蓋片が同一の大きさであり、しかも、材料の無駄を最小限に抑えることのできる包装用ブランクシートを提供することを目的とするものである。
【課題を解決するための手段】
【０００５】
すなわち、請求項１に記載の発明は、長方形状の底板と、この底板の左右の長辺に、それぞれ、折線ｌ，ｍを介して連接された左蓋片及び右蓋辺と、底板の短辺に折線ｎを介して連接されたつなぎ片と、このつなぎ片と折線ｏを介して連接された横長の中底片と、この中底片の左右に、それぞれ、折線ｑ、ｒを介して連接された前蓋片及び後蓋片とからなり、
中底片の幅ｈが底板の短辺の長さａと同一、長さｃが底板の長辺の長さｆと同一であり、
前記つなぎ片が、底板の短辺に連接された長方形の部位と、この長方形の部位に連接された三角形状の部位とから構成されており、かつ、長方形部位の頂点Ａを始点として前記底板の短辺と４５度をなす方向に伸びる折線ｏのみを介して、前記中底片とつなぎ片とが連接されており、
頂点Ａから底板までの長さｇ及び頂点Ａから中底板の側端部までの長さｅ１が、いずれも、底板の長辺の長さｆと短辺の長さａの差の１／２であることを特徴とする包装用ブランクシートである。
【０００６】
また、請求項２に記載の発明は、底板の短辺の長さａをその長辺の長さｆの２／３倍に限定すると共に、頂点Ａから底板までの長さｇ及び頂点Ａから中底板の側端部までの長さｅ１が、いずれも、底板の長辺の長さｆの１／６に限定したものである。
【０００７】
すなわち、請求項２に記載の発明は、長方形状の底板と、この底板の左右の長辺に、それぞれ、折線ｌ，ｍを介して連接された左蓋片及び右蓋辺と、底板の短辺に折線ｎを介して連接されたつなぎ片と、このつなぎ片と折線ｏを介して連接された横長の中底片と、この中底片の左右に、それぞれ、折線ｑ、ｒを介して連接された前蓋片及び後蓋片とからなり、
中底片の幅ｈが底板の短辺の長さａと同一、長さｃが底板の長辺の長さｆと同一であり、
前記つなぎ片が、底板の短辺に連接された長方形の部位と、この長方形の部位に連接された三角形状の部位とから構成されており、かつ、長方形部位の頂点Ａを始点として前記底板の短辺と４５度をなす方向に伸びる折線ｏのみを介して、前記中底片とつなぎ片とが連接されており、
頂点Ａから底板までの長さｇ及び頂点Ａから中底板の側端部までの長さｅ１が、いずれも、底板の長辺の長さｆの１／６であることを特徴とする包装用ブランクシートである。
【発明の効果】
【０００８】
請求項１〜２に記載の発明においては、つなぎ片が底板の短辺に連接された長方形の部位と、この長方形の部位に連接された三角形状の部位とから構成されているから、折線ｎからつなぎ片を折り返したときに、長方形部位の頂点Ａが底板の長辺上に位置する。そして、折線ｏから中底片を折り返すと、長方形部位の頂点Ａを始点として前記底板の短辺と４５度をなす方向に伸びる折線ｏのみを介して前記中底片とつなぎ片とが連接されており、しかも中底片の幅ｈが底板の短辺の長さａと同一であるから、中底片の長辺は底板の長辺に重なることとなる。
【０００９】
また、この際、頂点Ａから底板までの長さｇと頂点Ａから中底板の側端部までの長さｅ１が同一であるから、中底片の側端辺ｑは底板の短辺ｎに重なり、後蓋片は底板の短辺ｎからうしろ方向に突出する。また、中底片の長さｃが底板の長辺の長さｆと同一であるから、反対側の底板の短辺ｎ’に重なり、前蓋片は底板の短辺ｎ’から前方向に突出する。すなわち、中底片は底板に重なって、前蓋片と後蓋片とはその前後に突出するのである。
【００１０】
そして、この中底片上に書籍等の内容物を載置し、前蓋片、後蓋片、右蓋片及び左蓋片を、順次、内容物を覆うように折り重ねることにより、包装することができる。
【００１１】
なお、前蓋片の長さｄ２と後蓋片の長さｄ１は任意であってよいが、これらは中底片の左右に、それぞれ、折線ｑ、ｒを介して連接されているから、その両者ｄ１、ｄ２を同一の長さとし、かつ適切な長さとすることによって、ブランクシート全体をほぼ長方形状として、シート材料の無駄を軽減することが可能である。
【発明を実施するための最良の形態】
【００１２】
本発明に係るブランクシートは、紙、プラスチックシート等を打ち抜いて製造することができる。また、各折線は罫押しによって形成することができる。また、紙に折り癖をつけることで各折線を設けることもできる。
【００１３】
本発明に係るブランクシートは、例えば、図１の平面図に示す形状をしたものである。このブランクシートは、まず、長方形状の底板を有している。この底板を構成する４本の外形線のうち３本は折線ｌ，ｍ，ｎである。残りの１本は打ち抜きの際に設けられた打ち
抜き線ｎ’である。
【００１４】
これら３本の折線のうち、２本の折線ｌ、ｍは長辺に設けられている。そして、この折線ｌ、ｍを介して、それぞれ、左蓋片と右蓋片が連接されている。
【００１５】
他方、短辺に設けられた折線ｎを介して、つなぎ片が連接されている。このつなぎ片は、長方形の部位と三角形状の部位とから構成された五角形状をしており、長方形部位の外形線のうち長辺の１本が前記折線ｎである。そして、長方形部位の外形線のうち短辺の１本ｓが底板の長辺ｌに連続して設けれており、また、もう一方の短辺ｓ’は底板の長辺ｍに連続して設けれている。この長方形部位の頂点Ａを始点として、底板の短辺ｎに４５度の角度をなす方向に、前記三角形状部位の外形線ｏが延びている。この外形線ｏは折線から構成されており、この折線ｏを介して中底辺が連接されている。また、長方形部位の頂点Ｃを始点として、前記折線ｏに直交する方向に前記三角形状部位のもう一方の外形線ｐが延びている。この外形線ｐは打ち抜きの際に設けられた打ち抜き線である。そして、このため、つなぎ片と中底片とは、折線ｏのみを介して連接されている。
【００１６】
中底片は横長に構成されており、その左右に、それぞれ、折線ｑ，ｒを介して、後蓋片及び前蓋片が連接されている。中底片の長さｃは底板の長辺の長さｆに等しく、また、幅ｈは底板の短辺の長さａに等しい。
【００１７】
また、前記つなぎ片の短辺の長さ、すなわち、頂点Ａから底板までの長さｇは、底板の長辺の長さｆと短辺の長さａの差の１／２に構成されている。また、頂点Ａから、折線ｑすなわち中底片の側端部までの長さｅ１は、この頂点Ａから底板までの長さｇに等しく、すなわち、底板の長辺の長さｆと短辺の長さａの差の１／２である。また、頂点Ｃから、折線ｒすなわち中底板の側端部までの長さｅ２も同じ長さである。
【００１８】
なお、左蓋片と右蓋片とは同一の形状であり、すなわち、左蓋片の幅ｂ２と右蓋片の幅ｂ１は等しく、その長さは底板の長辺の長さｆに等しい。
【００１９】
また、前蓋片と後蓋片も同一の形状であり、前蓋片の幅ｄ２と後蓋片の幅ｄ１は等しく、その長さは中底片の幅ｈに等しい。そして、底板の短辺の長さａ、左蓋片の幅ｂ２及び右蓋片の幅ｂ１の三者を合計した長さは、中底片の長さｃ、前蓋片の幅ｄ２及び後蓋片の幅ｄ１の三者を合計した長さに等しいように構成されている。
【００２０】
典型的には、ａ＝２／３ｆ、かつ、ｇ＝ｅ１＝ｅ２＝１／６ｆである。数値の具体例を挙げると、単位長さをｘとして、ａ＝ｈ＝１２ｘ、ｂ１＝ｂ２＝８ｘ、ｃ＝ｆ＝１８ｘ、ｇ＝ｅ１＝ｅ２＝３ｘ、ｄ１＝ｄ２＝５ｘとすればよい。
【００２１】
次に、このブランクシートの使用方法について説明する。すなわち、まず、折線ｎから折り返して、つなぎ片を底板に重ねる（図２参照）。このとき、頂点Ａは底板の長辺ｌ上に位置する。
【００２２】
次に、折線ｏから折り返す（図３参照）。この結果、中底片は９０度反転して、底板に重なる。すなわち、中底片の長辺は底板の長辺に重なり、中底片の短辺は底板の短辺に重なる。そして、この結果、底板の四方に、それぞれ、前蓋片、後蓋片、左蓋片と右蓋片が突出した状態が形成される。
【００２３】
そして、次に、この底板の上に、平袋や板状の食品、あるいは書籍等の内容物を載置して、この内容物を覆うように前記各蓋片を折り重ねることにより、包装することができる。
【図面の簡単な説明】
【００２４】
【図１】本発明のブランクシートの平面図。
【図２】本発明ののブランクシートの使用状態を示す平面図。
【図３】本発明ののブランクシートの使用状態を示す平面図。
【符号の説明】
【００２５】
ａ‥底板の短辺の長さ
ｂ１‥左蓋板の長さ
ｂ２‥右蓋板の長さ
ｃ‥中蓋片の長さ
ｅ１‥頂点Ａから中底片の側端部までの長さ
ｆ‥底板の長辺の長さ
ｇ‥頂点Ａから底板までの長さ
【図１】
0004556845.tif 000002
【図２】
0004556845.tif 000003
【図３】
0004556845.tif 000004